(57)【特許請求の範囲】
【請求項１】
乗場またはその近傍で利用者により指定された行先階に係る新規行先階呼びを複数台のエレベータのいずれかに割り当てるエレベータの群管理制御装置であって、
前記複数台のエレベータが運行する階床には、割当済の行先階呼びを他のエレベータに割当変更することを利用者へ案内する装置が設けられた特定階と、前記案内する装置が設けられていない非特定階と、が含まれ、
前記特定階では、割当済の行先階呼びを他のエレベータに割当変更することを許容し、前記非特定階では、割当済の行先階呼びの他のエレベータへの割当変更を許容しないように構成され、
前記新規行先階呼びを前記複数台のエレベータのいずれかに割り当てる制御部を備え、
前記制御部は、前記新規行先階呼びが発生したときに、前記複数台のエレベータについて、それぞれ、前記新規行先階呼びを仮割当てして、仮割当てしたエレベータの運行状態を示す複数のパラメータの値に基づいて割当に関する評価値を求め、求めた評価値が最も小さいエレベータに前記新規行先階呼びを実際に割り当てるように構成され、
前記複数のパラメータのうちの一のパラメータとして、仮割当てしたエレベータに割り当てられている全利用者のうち出発階が前記非特定階である各利用者が当該仮割当てしたエレベータに乗車可能となるまでの各予測待ち時間のうち最大の予測待ち時間に比例する値、または前記各予測待ち時間のうち長い方から所定個数分の予測待ち時間の平均値あるいは合計値に比例する値を有するパラメータであって、前記割当に関する評価値を求める際に加算されるパラメータが含まれる、
エレベータの群管理制御装置。
【請求項２】
前記制御部は、利用者が所持する所定の情報通信端末で指定された行先階に係る新規行先階呼びを複数台のエレベータのいずれかに割り当て可能に構成され、
前記制御部は、当該新規行先階呼びの出発階が前記非特定階である場合でも、当該出発階が前記特定階であるものとして、前記新規行先階呼びを前記複数台のエレベータのいずれかに割り当てる、
請求項１に記載のエレベータの群管理制御装置。
【請求項３】
乗場またはその近傍に配置され、利用者が行先階を指定するための行先階指定装置と、
前記行先階指定装置で指定された行先階に係る新規行先階呼びを複数台のエレベータのいずれかに割り当てる、請求項１または請求項２に記載のエレベータの群管理制御装置と、を備えた、
エレベータの群管理システム。
【請求項４】
複数台のエレベータと、
乗場またはその近傍に配置され、利用者が行先階を指定するための行先階指定装置と、
前記行先階指定装置で指定された行先階に係る新規行先階呼びを複数台のエレベータのいずれかに割り当てる、請求項１または請求項２に記載のエレベータの群管理制御装置と、を備えた、
エレベータシステム。
【請求項５】
乗場またはその近傍で利用者により指定された行先階に係る新規行先階呼びを複数台のエレベータのいずれかに割り当てるエレベータの群管理制御方法であって、
前記複数台のエレベータが運行する階床には、割当済の行先階呼びを他のエレベータに割当変更することを利用者へ案内する装置が設けられた特定階と、前記案内する装置が設けられていない非特定階と、が含まれ、
前記特定階では、割当済の行先階呼びを他のエレベータに割当変更することを許容し、前記非特定階では、割当済の行先階呼びの他のエレベータへの割当変更を許容しないように構成され、
前記新規行先階呼びが発生したときに、前記複数台のエレベータについて、それぞれ、前記新規行先階呼びを仮割当てして、仮割当てしたエレベータの運行状態を示す複数のパラメータの値に基づいて割当に関する評価値を求め、求めた評価値が最も小さいエレベータに前記新規行先階呼びを実際に割り当て、
前記複数のパラメータのうちの一のパラメータとして、仮割当てしたエレベータに割り当てられている全利用者のうち出発階が前記非特定階である各利用者が当該仮割当てしたエレベータに乗車可能となるまでの各予測待ち時間のうち最大の予測待ち時間に比例する値、または前記各予測待ち時間のうち長い方から所定個数分の予測待ち時間の平均値あるいは合計値に比例する値を有するパラメータであって、前記割当に関する評価値を求める際に加算されるパラメータが含まれる、
エレベータの群管理制御方法。
【発明の詳細な説明】
【技術分野】
【０００１】
本発明は、新規行先階呼びを複数台のエレベータのいずれかに割り当てるエレベータの群管理制御装置、群管理システム、及びエレベータシステム、並びにエレベータの群管理制御方法に関する。
【背景技術】
【０００２】
複数台のエレベータを有するエレベータシステムにおける呼びの登録方式として、乗場行先階登録方式がある。乗場行先階登録方式では、通例、エレベータ乗場（以下適宜単に「乗場」という）やその近傍に、利用者による行先階登録を受け付ける行先階登録装置が設けられる。行先階登録装置において利用者により行先階が登録されると、当該利用者が乗車すべきエレベータ（割当号機）が群管理制御装置により決定され、割当号機を示す情報が行先階登録装置により表示される。
【０００３】
また、行先階登録装置とは別に、乗場の各エレベータの近傍には、各エレベータの行先階を案内する行先階インジケータが設けられる場合がある（特許文献１参照）。
【先行技術文献】
【特許文献】
【０００４】
【特許文献１】特開平８−３２４８９９号公報
【発明の概要】
【０００５】
乗場行先階登録方式では、複数台のエレベータのうちのいずれかにおいて予測外れ等により特定の利用者の予測待ち時間が例えば極端に大きくなった場合、待ち時間を短縮するために、割当済の行先階呼びを他のエレベータに割当変更する場合がある。割当変更を行った場合、割当変更元のエレベータの行先階インジケータに、当該エレベータの行先階変更が表示される。
【０００６】
ここで、行先階インジケータは、コスト削減等のために、利用者の発生が少ない階床等には設置されない場合がある。行先階インジケータが設置されない場合、当該階床で乗車待ちをしている利用者に割当変更を報知できない。したがって、予測待ち時間が長くなった場合でも割当変更が不可能であり、利用者に長待ちを強いることとなる。
【０００７】
本発明は、割当変更不可能階で乗車待ちしている利用者の長待ちを抑制可能なエレベータの群管理制御装置、群管理システム、及びエレベータシステム、並びにエレベータの群管理制御方法を提供する。
【課題を解決するための手段】
【０００８】
本発明の第１の態様のエレベータの群管理制御装置は、乗場またはその近傍で利用者により指定された行先階に係る新規行先階呼びを複数台のエレベータのいずれかに割り当てる。
群管理制御装置は、新規行先階呼びを複数台のエレベータのいずれかに割り当てる制御部を備える。
制御部は、
複数台のエレベータについて、それぞれ、新規行先階呼びを仮割当てして、仮割当てしたエレベータの運行状態を示す複数のパラメータの値に基づいて割当に関する評価値を求め、
求めた評価値が最も小さいエレベータに新規行先階呼びを実際に割り当てるように構成されている。
制御部は、
仮割当てしたエレベータに割り当てられている全利用者のそれぞれについて、当該エレベータに乗車可能となるまでの予測待ち時間を求め、
複数のパラメータのうちの一のパラメータとして、求めた予測待ち時間のうち最大の予測待ち時間に比例する値、または予測待ち時間のうち長い方から所定個数分の予測待ち時間の平均値あるいは合計値に比例する値が含まれる。
【０００９】
本発明の第２の態様のエレベータの群管理制御装置は、乗場またはその近傍で利用者により指定された行先階に係る新規行先階呼びを複数台のエレベータのいずれかに割り当てる。
群管理制御装置は、新規行先階呼びを複数台のエレベータのいずれかに割り当てる制御部を備える。
制御部は、
複数台のエレベータについて、それぞれ、新規行先階呼びを仮割当てして、仮割当てしたエレベータの運行状態を示す複数のパラメータの値に基づいて割当に関する評価値を求め、
求めた評価値が最も小さいエレベータに新規行先階呼びを実際に割り当てるように構成されている。
制御部は、
仮割当てしたエレベータに割り当てられている全利用者のうち出発階が所定の割当変更不可能階である利用者のそれぞれについて、当該エレベータに乗車可能となるまでの予測待ち時間を求め、
複数のパラメータのうちの一のパラメータとして、求めた予測待ち時間のうち最大の予測待ち時間に比例する値、または予測待ち時間のうち長い方から所定個数分の予測待ち時間の平均値あるいは合計値に比例する値が含まれる。
【００１０】
本発明の第３の態様のエレベータの群管理システムは、
乗場またはその近傍に配置され、利用者が行先階を指定するための行先階指定装置と、
行先階指定装置で指定された行先階に係る新規行先階呼びを複数台のエレベータのいずれかに割り当てる、本発明のエレベータの群管理制御装置と、を備える。
【００１１】
本発明の第４の態様のエレベータシステムは、
複数台のエレベータと、
乗場またはその近傍に配置され、利用者が行先階を指定するための行先階指定装置と、
行先階指定装置で指定された行先階に係る新規行先階呼びを複数台のエレベータのいずれかに割り当てる、本発明のエレベータの群管理制御装置と、を備える。
【００１２】
本発明の第５の態様のエレベータの群管理制御方法では、乗場またはその近傍で利用者により指定された行先階に係る新規行先階呼びを複数台のエレベータのいずれかに割り当てる。
群管理制御方法では、
複数台のエレベータについて、それぞれ、新規行先階呼びを仮割当てして、仮割当てしたエレベータの運行状態を示す複数のパラメータの値に基づいて割当に関する評価値を求め、
求めた評価値が最も小さいエレベータに前記新規行先階呼びを実際に割り当てる。
その場合において、仮割当てしたエレベータに割り当てられている全利用者のそれぞれについて、当該エレベータに乗車可能となるまでの予測待ち時間を求め、
複数のパラメータのうちの一のパラメータとして、求めた予測待ち時間のうち最大の予測待ち時間に比例する値、または予測待ち時間のうち長い方から所定個数分の予測待ち時間の平均値あるいは合計値に比例する値が含まれる。
【００１３】
本発明の第６の態様のエレベータの群管理制御方法では、乗場またはその近傍で利用者により指定された行先階に係る新規行先階呼びを複数台のエレベータのいずれかに割り当てる。
群管理制御方法では、
複数台のエレベータについて、それぞれ、新規行先階呼びを仮割当てして、仮割当てしたエレベータの運行状態を示す複数のパラメータの値に基づいて割当に関する評価値を求め、
求めた評価値が最も小さいエレベータに新規行先階呼びを実際に割り当てる。
その場合において、仮割当てしたエレベータに割り当てられている全利用者のうち出発階が所定の割当変更不可能階である利用者のそれぞれについて、当該エレベータに乗車可能となるまでの予測待ち時間を求め、
複数のパラメータのうちの一のパラメータとして、求めた予測待ち時間のうち最大の予測待ち時間に比例する値、または予測待ち時間のうち長い方から所定個数分の予測待ち時間の平均値あるいは合計値に比例する値が含まれる。
【発明の効果】
【００１４】
本発明によれば、割当変更不可能階で乗車待ちしている利用者の長待ちを抑制できる。
【図面の簡単な説明】
【００１５】
【図１Ａ】実施形態１に係るエレベータシステムが適用されたビルにおける特定階のエレベータ乗場を示す図
【図１Ｂ】実施形態１に係るエレベータシステムが適用されたビルにおける特定階以外の階のエレベータ乗場を示す図
【図２】実施形態１に係るエレベータの群管理システムの電気的構成を示すブロック図
【図３】実施形態１における行先階登録装置の電気的構成を示すブロック図
【図４】実施形態１における行先階登録装置の表示部の表示例を示す図
【図５】実施形態１におけるエレベータ制御装置の電気的構成を示すブロック図
【図６】実施形態１に係るエレベータシステムが適用されたビルにおける特定階のエレベータ乗場を示す図（行先階インジケータにおいて割当変更が表示されている状態を示す図）
【図７】実施形態１に係る群管理制御装置によるエレベータの割当処理を示すフローチャート
【図８】実施形態２に係る群管理制御装置によるエレベータの割当処理を示すフローチャート
【図９】実施形態３に係る群管理制御装置によるエレベータの割当処理を示すフローチャート
【図１０】実施形態４に係るエレベータの群管理システムの電気的構成を示すブロック図
【図１１】実施形態５に係る群管理制御装置によるエレベータの割当処理を示すフローチャート
【図１２】実施形態６に係る群管理制御装置によるエレベータの割当処理を示すフローチャート
【図１３】実施形態７に係る群管理制御装置によるエレベータの割当処理を示すフローチャート
【発明を実施するための形態】
【００１６】
（実施形態１）
本発明の実施形態に係るエレベータの群管理制御装置及び群管理システム、並びにエレベータシステムについて、図面を参照して説明する。
【００１７】
１．構成
１−１．エレベータシステムの概要
本実施形態に係るエレベータシステムの概要について説明する。図１Ａは、実施形態１に係るエレベータシステムが適用されたビルにおける特定階のエレベータ乗場を示す図である。図１Ｂは、実施形態１に係るエレベータシステムが適用されたビルにおける特定階以外の階のエレベータ乗場を示す図である。ここで、特定階とは例えば当該ビルの外部につながるロビー階である。外部からビルへ入場したビルの利用者は特定階を経由して他の階に移動することとなる。
【００１８】
本実施形態に係るエレベータシステムは、複数台のエレベータ（以下適宜「号機」という）６０Ａ〜６０Ｃと、群管理システムとを含む。群管理システムは、エレベータ６０Ａ〜６０Ｃの走行および運行を統合的に制御する。本実施形態では、一例としてＡ号機からＣ号機の３台のエレベータ６０Ａ〜６０Ｃが設けられている。なお、複数台のエレベータ６０Ａ〜６０Ｃは互いに同一の構成を有する。そのため、構成等の説明において区別する必要がない場合、適宜、各エレベータを「エレベータ６０」という。
【００１９】
本実施形態に係るエレベータの群管理システムでは、乗場行先階登録方式を採用しており、ビルの各階のエレベータ乗場には、利用者による行先階の登録を受け付ける行先階登録装置３０が設けられている。
【００２０】
各階のエレベータ乗場には、各エレベータ６０Ａ〜６０Ｃの乗車扉Ｄｒの近傍において、各エレベータ６０Ａ〜６０Ｃの号機名を表示する号機名表示ＰＬが設けられている。利用者は、複数台のエレベータ６０Ａ〜６０Ｃのうちの自己に割り当てられたエレベータに、号機名表示ＰＬを確認して乗車する。
【００２１】
図１Ａに示すように、特定階のエレベータ乗場には、複数台のエレベータ６０Ａ〜６０Ｃのそれぞれに対応付けて行先階インジケータ１２０が設けられている。
【００２２】
一方、図１Ｂから把握可能なように、特定階以外の階のエレベータ乗場には、行先階インジケータ１２０は設けられていない。
【００２３】
１−２．エレベータの群管理システムの構成
１−２−１．概要
本実施形態に係るエレベータの群管理システムの構成を説明する。図２は、実施形態１に係るエレベータの群管理システムの電気的構成を示すブロック図である。本実施形態に係るエレベータの群管理システムは、群管理制御装置１０、複数台の行先階登録装置３０、複数台のエレベータ制御装置４０Ａ〜４０Ｃを有する。
【００２４】
本実施形態に係るエレベータの群管理システムは、エレベータ６０Ａ〜６０Ｃの運行を統合的に制御する。
【００２５】
また、本実施形態に係るエレベータの群管理システムでは、前述のように、行先階登録方式を採用しており、新規に発生した行先階呼び（以下適宜「新規行先階呼び」という）を、複数台のエレベータ６０のいずれかに割り当てる制御を行う。具体的な制御については、後述する。
【００２６】
群管理システムを構成する各装置間は、情報伝送可能なネットワークＮＷを介して接続されている。ネットワークＮＷは、例えばＥｔｈｅｒｎｅｔ（登録商標）等のＬＡＮ（Ｌｏｃａｌ  Ａｒｅａ  Ｎｅｔｗｏｒｋ）により構成され、各装置間での各種の情報の送受信は、ＴＣＰ／ＩＰ等の各種のプロトコルにしたがって行われる。ネットワークＮＷ上に接続されている前述の各装置は、装置間において、各装置が有する入出力インタフェースにより、ＴＣＰ／ＩＰ等の各種のプロトコルにしたがった通信による信号伝送（情報伝送）が可能である。なお、群管理システムを構成する各装置間は、他の信号形式のネットワークや、専用の信号網を介して接続されてもよい。
【００２７】
各エレベータ（各号機）６０Ａ〜６０Ｃは、かご、巻上機（モータ）、釣合おもり等を有する。
【００２８】
１−２−２．群管理制御装置
群管理制御装置１０は、行先階登録装置３０において登録された行先階に係る行先階呼びを、複数台のエレベータ６０Ａ〜６０Ｃのうちのいずれかに割り当てる制御を行う。なお、行先階呼びをエレベータに割り当てることを、以下において、行先階をエレベータに割り当てるという場合がある。
【００２９】
群管理制御装置１０は、コンピュータを利用して構成され、図２に示すように、制御部１１と、記憶部１２と、入出力インタフェース１３とを備える。
【００３０】
記憶部１２は、例えばＲＡＭ、ＲＯＭ、ＨＤＤ、ＳＳＤ等を利用して構成され、プログラム、及び種々のデータを格納している。プログラムは、本実施形態の群管理制御装置１０の各種機能を実現するためのプログラムを含む。
【００３１】
制御部１１は、例えばＣＰＵ、ＭＰＵ等を利用して構成される。制御部１１は、記憶部１２から読み出した上記プログラムに基づいて種々のデータ等を利用して演算処理を行うことにより、群管理制御装置１０における後述する各種の機能を実現する。
【００３２】
入出力インタフェース１３は、例えばＬＡＮアダプタ等を利用して構成される。入出力インタフェース１３は、群管理制御装置１０と、行先階登録装置３０、エレベータ制御装置４０（４０Ａ〜４０Ｃ）、及び行先階インジケータ１２０との間で各種信号を送受信するためのインタフェースである。入出力インタフェース１３は、制御部１１から出力される信号を所定の形式の信号に変換して行先階登録装置３０、エレベータ制御装置４０、及び行先階インジケータ１２０に出力する。また、入出力インタフェース１３は、行先階登録装置３０、エレベータ制御装置４０、及び行先階インジケータ１２０から入力された信号を所定の形式の信号に変換して制御部１１に出力する。
【００３３】
１−２−３．行先階登録装置
図３は、実施形態１における行先階登録装置３０の電気的構成を示すブロック図である。行先階登録装置３０は、利用者が行先階の登録（入力）を行うための装置である。つまり、行先階登録装置３０は、利用者の行先階を取得する装置である。行先階登録装置３０は、制御部３１と、記憶部３２と、入出力インタフェース３３と、表示部３４と、操作部３５とを備える。
【００３４】
記憶部３２は、例えばＲＡＭ、ＲＯＭ、ＨＤＤ、ＳＳＤ等を利用して構成され、プログラム、及び種々のデータを格納している。プログラムは、本実施形態の行先階登録装置３０の各種機能を実現するためのプログラムを含む。記憶部３２には、データとして、例えば、行先階登録装置３０の装置識別情報が格納されている。
【００３５】
制御部３１は、例えばＣＰＵ、ＭＰＵ等を利用して構成される。制御部３１は、記憶部３２から読み出した上記プログラムに基づいて種々のデータ等を利用して演算処理を行うことにより、行先階登録装置３０における後述する各種の機能を実現する。
【００３６】
入出力インタフェース３３は、例えばＬＡＮアダプタ等を利用して構成される。入出力インタフェース３３は、行先階登録装置３０と群管理制御装置１０との間で各種信号を送受信するためのインタフェースである。入出力インタフェース３３は、制御部３１から出力された信号を所定の形式の信号に変換して群管理制御装置１０に出力する。また、入出力インタフェース３３は、群管理制御装置１０から入力された信号を所定の形式の信号に変換して制御部３１に出力する。
【００３７】
操作部３５は、利用者が行先階を入力するためのインタフェースである。操作部３５は、操作部３５の操作内容に対応する信号を制御部３１に出力する。
【００３８】
表示部３４は、制御部３１から出力される表示信号に基づく表示を行う。
【００３９】
表示部３４及び操作部３５は、例えば液晶ディスプレイパネルや有機ＥＬディスプレイパネルを利用したタッチパネル式表示装置により一体的に構成されている。なお、表示部３４と操作部３５とは、異なる部品を利用して別々に構成されてもよい。また、操作部３５は、ハードウェア式のテンキー等により構成されてもよい。
【００４０】
図４は、実施形態１における行先階登録装置３０の表示部３４の表示例を示す図である。本図の例では、行先階として９階が利用者により入力されたときに、当該９階に対してＡ号機が割り当てられたことが表示されている。
【００４１】
１−２−４．エレベータ制御装置
エレベータ制御装置４０Ａ〜４０Ｃ（Ａ号機制御装置４０Ａ、Ｂ号機制御装置４０Ｂ、Ｃ号機制御装置４０Ｃ）は、群管理制御装置１０からの制御信号にしたがって、対応するエレベータ６０Ａ〜６０Ｃの巻上機（モータ）等の動作を制御することにより、各エレベータ６０Ａ〜６０Ｃのかごの上昇、下降、停止等を制御する。また、エレベータ制御装置４０Ａ〜４０Ｃはそれぞれ、対応するエレベータ６０Ａ〜６０Ｃのかごの位置、走行方向、ドアの開閉状態、荷重等を含むかご状態を検知して、検知したかご状態を示す情報を含むかご状態信号を群管理制御装置１０に出力する。なお、複数台のエレベータ制御装置４０Ａ〜４０Ｃは互いに同一の構成を有する。そのため、構成等の説明において区別する必要がない場合、適宜、各エレベータ制御装置を「エレベータ制御装置４０」という。
【００４２】
図５は、実施形態１におけるエレベータ制御装置４０（４０Ａ〜４０Ｃ）の電気的構成を示すブロック図である。各エレベータ制御装置４０は、制御部４１と、記憶部４２と、入出力インタフェース４３と、を備える。
【００４３】
記憶部４２は、例えばＲＡＭ、ＲＯＭ、ＨＤＤ、ＳＳＤ等を利用して構成され、プログラム、及び種々のデータを格納している。プログラムは、本実施形態のエレベータ制御装置４０の各種機能を実現するためのプログラムを含む。
【００４４】
制御部４１は、例えばＣＰＵ、ＭＰＵ等を利用して構成される。制御部４１は、記憶部４２から読み出した上記プログラムに基づいて種々のデータ等を利用して演算処理を行うことにより、エレベータ制御装置４０における後述する各種の機能を実現する。
【００４５】
入出力インタフェース４３は、例えばＬＡＮアダプタ等を利用して構成される。入出力インタフェース４３は、エレベータ制御装置４０と群管理制御装置１０との間で各種信号を送受信するためのインタフェースである。入出力インタフェース４３は、制御部４１から出力された信号を所定の形式の信号に変換して群管理制御装置１０に出力する。また、入出力インタフェース４３は、群管理制御装置１０から入力された信号を所定の形式の信号に変換して制御部４１に出力する。
【００４６】
１−２−５．行先階インジケータ
行先階インジケータ１２０は、上述のように特定階にのみ設けられている。行先階インジケータ１２０は、制御部、記憶部、表示部、入出力インタフェース等を備える。制御部は、記憶部に記憶されているプログラムに基づく処理を行う。制御部は、入出力インタフェースを介して、群管理制御装置１０から行先階情報を受信したときに、受信した行先階情報が示す行先階を表示部に表示させる。なお、行先階インジケータ１２０は、群管理制御装置１０から受信した行先階情報が示す行先階を表示できれば、どのような構成でもよい。前述の図１Ａにおいて、Ａ号機の行先階インジケータ１２０は、Ａ号機の行先階が４階、５階、Ｂ２階であることを表示している。Ｂ号機の行先階インジケータ１２０は、Ｂ号機の行先階が８階、９階であることを表示している。Ｃ号機の行先階インジケータ１２０は、Ｃ号機の行先階が１０階、１１階であることを表示している。
【００４７】
２．動作
２−１．動作の概要
本実施形態に係るエレベータの群管理システムの動作の概要について説明する。本システムは、行先階登録装置３０によって利用者の行先階の登録を受け付ける。行先階登録装置３０で登録を受け付けると、登録された行先階に係る行先階呼びを、群管理制御装置１０において、複数台のエレベータ６０Ａ〜６０Ｃのうちのいずれかに割り当てる。さらに、エレベータ制御装置４０において、登録された行先階を割り当てた割当号機を、行先階の登録が行われた登録階（出発階）から、登録された行先階へ走行させるように運行制御を行う。また、登録を受け付けた行先階登録装置３０は、割当号機を示す割当号機情報を群管理制御装置１０から取得し、割当号機を示す情報を表示する。
【００４８】
２−２．群管理制御装置の動作
群管理制御装置１０の動作について図２を参照して説明する。群管理制御装置１０は、制御部１１によってエレベータの割当処理を行う。エレベータの割当処理は、行先階登録装置３０で登録された行先階を、複数台のエレベータ６０Ａ〜６０Ｃのうちのいずれかのエレベータに割り当てる処理である。具体的に、制御部１１は、行先階登録装置３０から入出力インタフェース１３を介して割当依頼信号を受信すると、エレベータの割当処理を開始する。割当依頼信号は、行先階登録装置３０で登録された行先階を、複数台のエレベータ６０Ａ〜６０Ｃのうちのいずれかのエレベータに割り当てることを要求する信号である。割当依頼信号には、利用者によって登録された行先階を示す行先階情報と、当該行先階の登録操作が行われた階（出発階）を示す出発階情報、および当該行先階の登録が行われた行先階登録装置３０を識別する装置識別情報とが含まれる。なお、割当依頼信号が示すこれらの情報を以下適宜「割当依頼情報」という。制御部１１は、割当依頼情報が示す出発階及び行先階を、エレベータ６０Ａ〜６０Ｃのうちのいずれかに、エレベータ６０Ａ〜６０Ｃ（１〜３号機）毎に求めた後述する評価値Ｅ［ｃ］に基づいて割り当てる。
【００４９】
具体的に、制御部１１は、各エレベータ６０の運行情報を取得する。各エレベータ６０Ａ〜６０Ｃ（１〜３号機）の運行情報は、例えば、各エレベータ６０Ａ〜６０Ｃのかご状態（かごの位置、走行方向、ドアの開閉状態、荷重等を含む）を示す情報を含む。制御部１１は、各エレベータ６０の運行情報等に基づいて、後述する複数のパラメータの値を、エレベータ６０Ａ〜６０Ｃのそれぞれについて求める。さらに、制御部１１は、行先階を割り当てるエレベータを選択するための評価値Ｅ［ｃ］を、複数のパラメータの値に基づいて、エレベータ６０Ａ〜６０Ｃのそれぞれについて算出する。ここで、各エレベータ６０Ａ〜６０Ｃの運行情報は、例えば、各エレベータ６０Ａ〜６０Ｃのかご状態（かごの位置、走行方向、ドアの開閉状態、荷重等を含む）を含む。
【００５０】
評価値Ｅ［ｃ］を算出する際に用いられる複数のパラメータとしては、例えば、予測待ち時間合計値ｓｕｍ＿ｗｔ［ｃ］、予測乗車時間合計値ｓｕｍ＿ｂｔ［ｃ］、予測待ち時間最大値ｍａｘ＿ｗｔ［ｃ］等がある。予測待ち時間合計値ｓｕｍ＿ｗｔ［ｃ］は、ｃ号機に割り当てられている（仮割当てを含む）全利用者の予測待ち時間ｗｔ［ｐ］の合計値である。予測待ち時間ｗｔ［ｐ］は、割当依頼信号を受け付けてから割当号機が出発階に到着するまでの時間である。なお、これらのパラメータの算出においては、割り当てられたｃ号機が行先階呼びの出発階に到着したときに、ｃ号機への割当が完了したものとして消去する。つまり、「ｃ号機に割り当てられている」とは、割り当てられたｃ号機が行先階呼びの出発階にまだ到着していないことを意味する。予測乗車時間合計値ｓｕｍ＿ｂｔ［ｃ］は、ｃ号機に割り当てられている（仮割当てを含む）全利用者の予測乗車時間ｂｔ［ｐ］の合計値である。予測乗車時間ｂｔ［ｐ］は、出発階から行先階への利用者の乗車時間である。予測待ち時間最大値ｍａｘ＿ｗｔ［ｃ］は、ｃ号機に割り当てられている（仮割当てを含む）全利用者の予測待ち時間ｗｔ［ｐ］のうち最大の値を有する予測待ち時間である。なお、本実施形態では、予測待ち時間最大値ｍａｘ＿ｗｔ［ｃ］を求めるに際しては、上記全利用者の予測待ち時間ｗｔ［ｐ］のうち、出発階が割当変更不可能階である利用者の予測待ち時間ｗｔ［ｐ］のみを対象としている。そのため、予測待ち時間最大値ｍａｘ＿ｗｔ［ｃ］は、全利用者のうち出発階が割当変更不可能階である利用者の予測待ち時間ｗｔ［ｐ］の最大値となる。
【００５１】
上記評価値Ｅ［ｃ］の算出後、制御部１１は、複数台のエレベータ６０Ａ〜６０Ｃのうち最も小さい評価値Ｅ［ｃ］を有するエレベータを選択し、新規行先階呼びを、選択したエレベータに割り当てる。
【００５２】
制御部１１は、割り当てたエレベータ６０（割当号機）に対応するエレベータ制御装置４０に、割り当てた新規行先階呼びの出発階から行先階への走行を指示する制御信号を出力する。
【００５３】
制御部１１は、割当結果に基づいて、特定階において各エレベータ６０に対応させて設けられた行先階インジケータ１２０に、当該エレベータ６０の行先階を表示させるための信号を出力する。
【００５４】
制御部１１は、行先階呼びの割当後に、ある利用者（行先階呼び）の予測待ち時間ｗｔ［ｐ］が所定値（例えば９０秒）よりも大きくなった場合、割当済の行先階呼びを他のエレベータに割当変更する処理を行う。制御部１１は、割当変更を行うと、特定階において各エレベータ６０に対応させて設けられた行先階インジケータ１２０のうち、割当変更元のエレベータ６０に対応する行先階インジケータ１２０に、当該エレベータ６０の行先階変更を表示させるための信号を出力する。
【００５５】
図６は、実施形態１に係るエレベータシステムが適用されたビルにおける特定階のエレベータ乗場を示す図（行先階インジケータにおいて割当変更が表示されている状態を示す図）である。本図の例では、Ｂ号機用の行先階インジケータ１２０に、Ｂ号機に割当済みの８階及び９階がＡ号機に割当変更されたことが表示されている。
【００５６】
ここで、本実施形態において、制御部１１は、特定階以外の階で発生した行先階呼びについては、割当変更は行わない。特定階以外の階には、行先階インジケータ１２０が設けられていないからである。以下、特定階以外の階を、適宜「割当変更不可能階」という。
【００５７】
２−３．行先階登録装置の動作
行先階登録装置３０は、操作部３５において、利用者による行先階の登録操作を受け付ける。行先階登録装置３０の制御部３１は、利用者により登録された行先階を示す行先階情報と、その行先階を登録する操作が行われた行先階登録装置３０の設置階を示す出発階情報と、当該行先階登録装置３０を識別する装置識別情報とを含む割当依頼信号を生成する。行先階登録装置３０の制御部３１は、生成した割当依頼信号を、群管理制御装置１０に出力する。
【００５８】
また、行先階登録装置３０の制御部３１は、上述の割当依頼信号の応答として、群管理制御装置１０から、割当号機を示す割当号機情報を受信すると、利用者によって登録された行先階と、割当号機情報が示す割当号機を示す情報とを、表示部３４に表示させる。これによって、行先階登録装置３０は、登録された行先階が、表示された割当号機に割り当てられたことを利用者に報知する。
【００５９】
２−４．具体的動作
実施形態１に係るエレベータの群管理制御装置１０により行われるエレベータの割当処理について説明する。図７は、実施形態１に係るエレベータの群管理制御装置１０により行われるエレベータの割当処理を示すフローチャートである。本フローチャートによる処理は、新規行先階呼びが発生した時に行われる。
【００６０】
群管理制御装置１０は、新規行先階呼びが発生したか否かを判断する（Ｓ１１）。具体的に、群管理制御装置１０は、行先階登録装置３０から割当依頼信号を受信したか否かに基づいて、新規行先階呼びが発生したか否かを判断する。
【００６１】
新規行先階呼びが発生していない場合（Ｓ１１でＮＯ）、群管理制御装置１０は、本ステップＳ１１の判断を再度実行する。
【００６２】
これに対し、新規行先階呼びが発生した場合（Ｓ１１でＹＥＳ）、群管理制御装置１０は、新規行先階呼びの出発階をＦ、行先階をＤとして設定（記憶）する（Ｓ１２）。
【００６３】
群管理制御装置１０は、号機番号ｃとして１を設定する（Ｓ１３）。なお、本実施形態では、３台のエレベータ６０Ａ〜６０Ｃ（号機）が設けられているため、ｃは１〜３である。エレベータ６０Ａは１号機であり、エレベータ６０Ｂは２号機であり、エレベータ６０Ｃは３号機である。
【００６４】
群管理制御装置１０は、計算対象の出発階ｆとして１階を設定する（Ｓ１４）。
【００６５】
群管理制御装置１０は、出発階Ｆ、行先階Ｄの行先階呼びをｃ号機に仮割当てして、ｃ号機の運行をシミュレーションし、ｃ号機に割り当てられている全利用者（仮割当ての利用者を含む）の予測待ち時間ｗｔ［ｐ］や予測乗車時間ｂｔ［ｐ］を求める（Ｓ１５）。シミュレーションにおけるｃ号機の運行は、例えばセレクティブ・コレクティブ方式により行われる。セレクティブ・コレクティブ方式とは、運転方向の維持を優先して、運転方向と同一方向に移動する乗客を乗合させる運転方式である。なお、本発明は、運行方式が他の方式である場合にも適用可能である。
【００６６】
群管理制御装置１０は、予測待ち時間最大値ｍａｘ＿ｗｔ［ｃ］、予測待ち時間合計値ｓｕｍ＿ｗｔ［ｃ］、予測乗車時間合計値ｓｕｍ＿ｂｔ［ｃ］を、それぞれゼロ（０）に初期化する（Ｓ１６）。
【００６７】
群管理制御装置１０は、計算対象の行先階ｄとして１階を設定する（Ｓ１７）。
【００６８】
群管理制御装置１０は、計算対象の出発階ｆと計算対象の行先階ｄとが等しいか否かを判断する（Ｓ１８）。
【００６９】
計算対象の出発階ｆと計算対象の行先階ｄとが等しい場合（Ｓ１８でＹＥＳ）、群管理制御装置１０は、計算対象の行先階ｄに１を加算し（Ｓ１９）、再度ステップＳ１８の判断を実行する。
【００７０】
計算対象の出発階ｆと計算対象の行先階ｄとが等しくない場合（Ｓ１８でＮＯ）、群管理制御装置１０は、ｃ号機に、出発階ｆ、行先階ｄの行先階呼びが既に割り当てられているか否かを判断する（Ｓ２０）。
【００７１】
割り当てられていない場合（Ｓ２０でＮＯ）、群管理制御装置１０は、行先階ｄが最上階か否かを判断する（Ｓ２１）。
【００７２】
行先階ｄが最上階でない場合（Ｓ２１でＮＯ）、群管理制御装置１０は、ステップＳ１９で行先階ｄに１を加算し、ステップＳ１８以後の処理を実行する。つまり、群管理制御装置１０は、次の行先階についてステップＳ１８以後の処理を実行する。
【００７３】
行先階ｄが最上階である場合（Ｓ２１でＹＥＳ）、群管理制御装置１０は、出発階ｆが最上階か否かを判断する（Ｓ２２）。
【００７４】
出発階ｆが最上階でない場合（Ｓ２２でＮＯ）、群管理制御装置１０は、出発階ｆに１を加算し（Ｓ２３）、ステップＳ１７で行先階ｄとして１を設定する。つまり、群管理制御装置１０は、次の出発階についてステップＳ１７以後の処理を実行する。
【００７５】
出発階ｆが最上階である場合（Ｓ２２でＹＥＳ）、群管理制御装置１０は、割当に関する評価値Ｅ［ｃ］を数式１に基づいて求める（Ｓ２４）。
（式１）
Ｅ［ｃ］＝Ａ・ｓｕｍ＿ｗｔ［ｃ］＋Ｂ・ｓｕｍ＿ｂｔ［ｃ］＋Ｃ・ｍａｘ＿ｗｔ［ｃ］
ここで、ｓｕｍ＿ｗｔ［ｃ］は、前述のように、ｃ号機に割り当てられている全利用者（仮割当ての利用者を含む）の予測待ち時間ｗｔ［ｐ］の合計値である。ｓｕｍ＿ｂｔ［ｃ］は、ｃ号機に割り当てられている全利用者（仮割当ての利用者を含む）の予測乗車時間ｂｔ［ｐ］の合計値である。ｍａｘ＿ｗｔ［ｃ］は、ｃ号機に割り当てられている全利用者（仮割当ての利用者を含む）の予測待ち時間ｗｔ［ｐ］の最大値である。また、本フローチャートによる処理においては、ｍａｘ＿ｗｔ［ｃ］として、特定階以外の階（割当変更不可能階）で発生した行先階呼びに係る利用者についてのもののみが利用される。割当変更可能階で発生した行先階呼びについては、割当変更により長待ちを回避できるため、ｍａｘ＿ｗｔ［ｃ］を求めるときの対象とはしない。Ａ、Ｂ、Ｃは正の値を有する係数であり、求める効果の内容や程度に応じてシミュレーションや実験により設定される。
【００７６】
群管理制御装置１０は、号機番号ｃがエレベータ６０の台数と等しいか否かを判断する（Ｓ２５）。つまり、全ての号機について上記各ステップでの判断が完了したか否かを判断する。
【００７７】
号機番号ｃがエレベータ６０の台数と等しくない場合（Ｓ２５でＮＯ）、群管理制御装置１０は、出発階ｆに１を加算し（Ｓ２６）、ステップＳ１４で出発階ｆとして１を設定する。つまり、群管理制御装置１０は、次の号機についてステップＳ１４以後の処理を実行する。
【００７８】
号機番号ｃがエレベータ６０の台数と等しい場合（Ｓ２５でＹＥＳ）、群管理制御装置１０は、割当に関する上記評価値Ｅ［ｃ］が最小である号機を割当号機として決定し（Ｓ２７）、本フローチャートの最初に戻り、ステップＳ１１以後の処理を再度実行する。
【００７９】
ここで、上記のステップＳ２０において、ｃ号機に、既に出発階ｆ、行先階ｄの行先階呼びが割り当てられていると判断した場合（Ｓ２０でＹＥＳ）、群管理制御装置１０は、処理対象の行先階呼びに係る利用者に対して利用者番号ｐを設定（記憶）する（Ｓ２８）。
【００８０】
群管理制御装置１０は、計算対象の出発階ｆが割当変更不可能階か否かを判断する（Ｓ２９）。なお、群管理制御装置１０は、割当変更不可能階を示す情報を、記憶部１２にデータとして予め格納している。
【００８１】
計算対象の出発階ｆが割当変更不可能階である場合（Ｓ２９でＹＥＳ）、群管理制御装置１０は、利用者番号ｐの利用者の予測待ち時間ｗｔ［ｐ］が、予測待ち時間最大値ｍａｘ＿ｗｔ［ｃ］よりも大きいか否かを判断する（Ｓ３０）。
【００８２】
予測待ち時間ｗｔ［ｐ］が予測待ち時間最大値ｍａｘ＿ｗｔ［ｃ］よりも大きい場合（Ｓ３０でＹＥＳ）、群管理制御装置１０は、予測待ち時間ｗｔ［ｐ］を最大値ｍａｘ＿ｗｔ［ｃ］として設定（記憶）する（Ｓ３１）。
【００８３】
予測待ち時間ｗｔ［ｐ］が予測待ち時間最大値ｍａｘ＿ｗｔ［ｃ］よりも大きくない場合（Ｓ３０でＮＯ）、または、ステップＳ３１を実行した場合、あるいは、計算対象の出発階ｆが割当変更不可能階でない場合（Ｓ２９でＮＯ）、群管理制御装置１０は予測待ち時間ｗｔ［ｐ］の合計値ｓｕｍ＿ｗｔ［ｃ］として、現在の予測待ち時間ｗｔ［ｐ］の合計値ｓｕｍ＿ｗｔ［ｃ］に当該利用者番号ｐの利用者の予測待ち時間ｗｔ［ｐ］を加算する（Ｓ３２）。
【００８４】
群管理制御装置１０は、予測乗車時間合計値ｓｕｍ＿ｂｔ［ｃ］として、現在の予測乗車時間合計値ｓｕｍ＿ｂｔ［ｃ］に当該利用者番号ｐの利用者の予測乗車時間ｂｔ［ｐ］を加算した値を設定する（Ｓ３３）。
【００８５】
群管理制御装置１０は、ｃ号機に既に割り当てられている出発階ｆ、行先階ｄの全ての行先階呼びについて、ステップＳ２８〜Ｓ３３の処理が完了したか否かを判断する（Ｓ３４）。
【００８６】
ｃ号機に既に割り当てられている出発階ｆ、行先階ｄの全ての行先階呼びについての上記の処理が完了していない場合（Ｓ３４でＮＯ）、群管理制御装置１０は、ステップＳ２８以後の処理を再度実行する。
【００８７】
ｃ号機に既に割り当てられている出発階ｆ、行先階ｄの全ての行先階呼びについて上記の処理が完了した場合（Ｓ３４でＹＥＳ）、群管理制御装置１０は、前述のステップＳ２１以後の処理を実行する。
【００８８】
３.作用
本実施形態による作用について説明する。新規行先階呼びが発生すると、群管理制御装置１０により、各エレベータ６０（号機）について、前述の複数のパラメータに基づいて割当に関する評価値Ｅ［ｃ］が求められ、当該評価値Ｅ［ｃ］が最も小さい号機が新規行先階呼びに割り当てられる。その場合において、本実施形態では、複数のパラメータのうちの一のパラメータとして、仮割当てしたエレベータに割り当てられている全利用者のうち出発階が所定の割当変更不可能階である利用者が当該エレベータに乗車可能となるまでの予測待ち時間最大値ｍａｘ＿ｗｔ［ｃ］に比例する値が含まれている。そのため、仮割当てしたときに、割当変更不可能階における予測待ち時間最大値ｍａｘ＿ｗｔ［ｃ］が他の号機と比べて大きい号機は、評価値Ｅ［ｃ］についても他の号機と比べて大きくなりやすく、その結果、新規行先階呼びが割り当てられにくくなる。つまり、仮割当てしたときに、割当変更不可能階における予測待ち時間最大値ｍａｘ＿ｗｔ［ｃ］が他の号機と比べて大きい号機に対しては、新規行先階呼びの割当てが抑制される。したがって、割当変更不可能階で乗車待ちしている利用者の長待ちを抑制できる。
【００８９】
（実施形態２）
実施形態１では、評価値Ｅ［ｃ］を求めるための複数のパラメータのうちの一のパラメータとして、予測待ち時間最大値ｍａｘ＿ｗｔ［ｃ］に比例する値が含まれているが、実施形態２では、前記一のパラメータとして、予測待ち時間最大値ｍａｘ＿ｗｔ［ｃ］に代えて、ｃ号機に割り当てられている全利用者（全行先階呼び）の予測待ち時間ｗｔ［ｐ］のうち長い方から所定個数分の予測待ち時間ｗｔ［ｐ］の平均値ａｖｇ＿ｗｔ［ｃ］に比例する値が含まれる。
【００９０】
具体的処理について、図８を参照して説明する。図８は、実施形態２に係る群管理制御装置によるエレベータの割当処理を示すフローチャートである。なお、図８のフローチャートは、図７のフローチャートにおけるステップＳ３０、Ｓ３１、及びＳ２４を、ステップＳ３０Ａ及びＳ２４Ａに置換した以外同一である。ステップの番号も同一の処理に対しては同一としている。以下、実施形態１の図７のフローチャートによる処理に対する相違点を中心に説明する。
【００９１】
すなわち、ステップＳ２９において、計算対象の出発階ｆが割当変更不可能階である場合（Ｓ２９でＹＥＳ）、群管理制御装置１０は、ｃ号機に割り当てられている全利用者（全行先階呼び）に対する予測待ち時間ｗｔ［ｐ］のうち長い方から所定個数分の予測待ち時間ｗｔ［ｐ］の平均値ａｖｇ＿ｗｔ［ｃ］を求める（Ｓ３０Ａ）。所定個数は、例えば２個や３個である。
【００９２】
平均値ａｖｇ＿ｗｔ［ｃ］を求めると、群管理制御装置１０は、前述のステップＳ３２を実行する。
【００９３】
群管理制御装置１０は、割当に関する評価値Ｅ［ｃ］を数式２に基づいて求める（Ｓ２４Ａ）。
（式２）
Ｅ［ｃ］＝Ａ・ｓｕｍ＿ｗｔ［ｃ］＋Ｂ・ｓｕｍ＿ｂｔ［ｃ］＋Ｃ・ａｖｇ＿ｗｔ［ｃ］
各パラメータの定義は、実施形態１等で説明した通りである。
【００９４】
本実施形態によれば、ある利用者（行先階呼び）の予測待ち時間ｗｔ［ｐ］の一時的な急激な変動による評価値Ｅ［ｃ］の急激な変動を抑制しつつ、適切に割当号機の決定を行うことができる。
【００９５】
（実施形態３）
実施形態１では、評価値Ｅ［ｃ］を求めるための複数のパラメータのうちの一のパラメータとして、予測待ち時間最大値ｍａｘ＿ｗｔ［ｃ］に比例する値が含まれているが、実施形態３では、前記一のパラメータとして、予測待ち時間最大値ｍａｘ＿ｗｔ［ｃ］に代えて、ｃ号機に割り当てられている全利用者（全行先階呼び）の予測待ち時間ｗｔ［ｐ］のうち長い方から所定個数分の予測待ち時間ｗｔ［ｐ］の合計値ｓｕｍ２＿ｗｔ［ｃ］に比例する値が含まれる。
【００９６】
具体的処理について、図９を参照して説明する。図９は、実施形態３に係る群管理制御装置によるエレベータの割当処理を示すフローチャートである。なお、図９のフローチャートは、図７のフローチャートのステップＳ３０、Ｓ３１、及びＳ２４を、ステップＳ３０Ｂ及びＳ２４Ｂに置換した以外同一である。ステップの番号も同一の処理に対しては同一としている。以下、実施形態１の図７のフローチャートによる処理に対する相違点を中心に説明する。
【００９７】
すなわち、ステップＳ２９において、計算対象の出発階ｆが割当変更不可能階である場合（Ｓ２９でＹＥＳ）、群管理制御装置１０は、ｃ号機に割り当てられている全利用者（全行先階呼び）に対する予測待ち時間ｗｔ［ｐ］のうち長い方から所定個数分の予測待ち時間ｗｔ［ｐ］の合計値ｓｕｍ２＿ｗｔ［ｃ］を求める（Ｓ３０Ｂ）。所定個数は、例えば２個や３個である。
【００９８】
合計値ｓｕｍ２＿ｗｔ［ｃ］を求めると、群管理制御装置１０は、前述のステップＳ３２を実行する。
【００９９】
群管理制御装置１０は、割当に関する評価値Ｅ［ｃ］を数式３に基づいて求める（Ｓ２４Ｂ）。
（式３）
Ｅ［ｃ］＝Ａ・ｓｕｍ＿ｗｔ［ｃ］＋Ｂ・ｓｕｍ＿ｂｔ［ｃ］＋Ｃ・ｓｕｍ２＿ｗｔ［ｃ］
各パラメータの定義は、実施形態１等で説明した通りである。
【０１００】
本実施形態によれば、実施形態２同様、ある利用者（行先階呼び）の予測待ち時間ｗｔ［ｐ］の一時的な急激な変動による評価値Ｅ［ｃ］の急激な変動を抑制しつつ、適切に割当号機の決定を行うことができる。
【０１０１】
（実施形態４）
前記各実施形態では、行先階の登録（指定）は行先階登録装置３０を利用して行われる。しかし、近年、行先階登録装置３０だけでなく、利用者の所持する、無線通信可能なスマートフォン等の情報通信端末を利用して行先階を登録（指定）可能な行先階登録システムがある。本実施形態は、このようなシステムに適した技術を提供する。以下、詳しく説明する。
【０１０２】
このようなシステムにおいて、利用者の所持する情報通信端末を利用して行先階の登録（指定）が行われた場合、当該利用者の情報通信端末に割当変更の情報を無線通信で送信することにより、割当変更を利用者に報知可能である。そこで、本実施形態では、情報通信端末を利用して行先階登録（行先階指定）が行われた場合、群管理制御装置１０は、当該行先階に係る行先階呼びの出発階が割当変更不可能階である場合でも、当該出発階が割当変更可能階であるものとして割当処理を行う。また、群管理制御装置１０は、以後、必要に応じて割当変更を行い、情報通信端末に割当変更情報を送信する。
【０１０３】
具体的には、群管理制御装置１０は、行先階登録装置３０でなく、情報通信端末を利用して行先階の登録が行われた場合には、当該行先階登録に係る利用者の予測待ち時間ｗｔ［ｐ］を、予測待ち時間最大値ｍａｘ＿ｗｔ［ｃ］の設定対象としない。より具体的には、群管理制御装置１０は、行先階登録装置３０からでなく、情報通信端末から受信した割当依頼情報に係る行先階呼びについては、図７のフローチャートのステップＳ２９の判断において、当該行先階呼びの出発階ｆに行先階インジケータ１２０（行先階表示器）が設けられているか否かによらず、出発階ｆが割当変更不可能階でない（ＮＯ）と判断する。これにより、当該行先階呼びの出発階ｆが割当変更不可能階である場合でも、当該出発階ｆが割当変更可能階であるものとして割当処理が行われる。
【０１０４】
本例では、ハードウェアとして、図１０に示すように、情報通信端末ＣＴとの間で割当依頼情報、割当号機情報、割当変更情報等を無線通信により伝送可能とする通信装置１３０が追加され、入出力インタフェース１３に接続されている。情報通信端末ＣＴには、専用のアプリケーション（プログラム）がインストールされている。専用のアプリケーションは、情報通信端末ＣＴ（コンピュータ）を、出発階及び行先階に応じた割当依頼情報を生成可能とする割当依頼生成手段、割当号機情報を受信して表示部等に報知させる手段、割当変更情報を受信して表示部等に報知させる手段、として機能させる。無線通信のための技術や規格としては種々の公知のものが利用可能である。本例によれば、行先階登録（行先階指定）に利用された手段に応じて適切に利用者の長待ちを抑制できる。
【０１０５】
（実施形態５）
実施形態１では、予測待ち時間最大値ｍａｘ＿ｗｔ［ｃ］は、仮割当てしたエレベータに割り当てられている全利用者のうち出発階が所定の割当変更不可能階である利用者の予測待ち時間ｗｔ［ｐ］のうちの最大の予測待ち時間である。しかし、予測待ち時間最大値ｍａｘ＿ｗｔ［ｃ］は、仮割当てしたエレベータに割り当てられている全利用者（全ての階の利用者）の予測待ち時間ｗｔ［ｐ］のうちの最大の予測待ち時間であってもよい。
【０１０６】
図１１は、実施形態５に係る群管理制御装置によるエレベータの割当処理を示すフローチャートである。図１１のフローチャートは、図７のフローチャートにおけるステップＳ２９を削除した点以外同一である。
【０１０７】
本実施形態においては、実施形態１のステップＳ２９におけるｆ階が割当変更不可能階であるか否かの判断が省略されているため、ステップＳ３０〜Ｓ３３では、仮割当てしたエレベータに割り当てられている全利用者（全ての階の利用者）の予測待ち時間ｗｔ［ｐ］のうちの最大の予測待ち時間が、予測待ち時間最大値ｍａｘ＿ｗｔ［ｃ］として設定されることとなる。
【０１０８】
そして、ステップＳ２４において、この予測待ち時間最大値ｍａｘ＿ｗｔ［ｃ］を前述の（式１）に代入することにより、割当に関する評価値Ｅ［ｃ］が求められることとなる。
【０１０９】
本実施形態では、複数のパラメータのうちの一のパラメータとして、仮割当てしたエレベータに割り当てられている全利用者の予測待ち時間ｗｔ［ｐ］のうちの最大の値である予測待ち時間最大値ｍａｘ＿ｗｔ［ｃ］に比例する値が含まれている。そのため、仮割当てしたときに、予測待ち時間最大値ｍａｘ＿ｗｔ［ｃ］が他の号機と比べて大きい号機は、評価値Ｅ［ｃ］についても他の号機と比べて大きくなりやすく、その結果、新規行先階呼びが割り当てられにくくなる。つまり、仮割当てしたときに、予測待ち時間最大値ｍａｘ＿ｗｔ［ｃ］が他の号機と比べて大きい号機に対しては、新規行先階呼びの割当てが抑制される。そのため、各階において当該号機の乗車待ちをしている利用者の待ち時間が長くなるのが抑制される。つまり、各階で乗車待ちしている利用者の長待ちを抑制できる。ここで、割当変更可能階では、前述のように、予測待ち時間が所定時間以上になると、割当変更を行うことができるため、長待ちはもともと発生しにくい。したがって、利用者の待ち時間が長くなりやすい階床は、実質的に割当変更不可能階となる。そのため、予測待ち時間最大値ｍａｘ＿ｗｔ［ｃ］として設定されるのは、実質的に、割当変更不可能階で乗車待ちしている利用者の予測待ち時間となる。そのため、仮割当てしたときに、割当済の階として割当変更不可能階が含まれている場合には、割当変更不可能階において当該号機の乗車待ちをしている利用者の待ち時間が予測待ち時間最大値ｍａｘ＿ｗｔ［ｃ］として設定されやすく、その結果、割当変更不可能階で乗車待ちしている利用者の長待ちが抑制される。
【０１１０】
（実施形態６）
実施形態２では、平均値ａｖｇ＿ｗｔ［ｃ］は、仮割当てしたエレベータに割り当てられている全利用者のうち出発階が所定の割当変更不可能階である利用者の予測待ち時間ｗｔ［ｐ］のうち長い方から所定個数分の予測待ち時間ｗｔ［ｐ］の平均値である。しかし、平均値ａｖｇ＿ｗｔ［ｃ］は、仮割当てしたエレベータに割り当てられている全利用者（全ての階の利用者）の予測待ち時間ｗｔ［ｐ］のうち長い方から所定個数分の予測待ち時間ｗｔ［ｐ］の平均値であってもよい。
【０１１１】
図１２は、実施形態６に係る群管理制御装置によるエレベータの割当処理を示すフローチャートである。図１２のフローチャートは、図８のフローチャートにおけるステップＳ２９を削除した点以外同一である。
【０１１２】
本実施形態においては、実施形態２のステップＳ２９におけるｆ階が割当変更不可能階であるか否かの判断が省略されているため、ステップＳ３０Ａ〜Ｓ３３では、仮割当てしたエレベータに割り当てられている全利用者（全ての階の利用者）の予測待ち時間ｗｔ［ｐ］のうち長い方から所定個数分の予測待ち時間ｗｔ［ｐ］の平均値が、平均値ａｖｇ＿ｗｔ［ｃ］として設定されることとなる。
【０１１３】
そして、ステップＳ２４Ａにおいて、この平均値ａｖｇ＿ｗｔ［ｃ］を前述の（式２）に代入することにより、割当に関する評価値Ｅ［ｃ］が求められることとなる。
【０１１４】
本実施形態によれば、複数のパラメータのうちの一のパラメータとして、全利用者（全ての階の利用者）の予測待ち時間ｗｔ［ｐ］のうち長い方から所定個数分の予測待ち時間ｗｔ［ｐ］の平均値ａｖｇ＿ｗｔ［ｃ］に比例する値を用いる場合において、ある利用者（行先階呼び）の予測待ち時間ｗｔ［ｐ］の一時的な急激な変動による評価値Ｅ［ｃ］の急激な変動を抑制しつつ、適切に割当号機の決定を行うことができる。
【０１１５】
（実施形態７）
実施形態３では、合計値ｓｕｍ２＿ｗｔ［ｃ］は、仮割当てしたエレベータに割り当てられている全利用者のうち出発階が所定の割当変更不可能階である利用者の予測待ち時間ｗｔ［ｐ］のうち長い方から所定個数分の予測待ち時間ｗｔ［ｐ］の合計値である。しかし、合計値ｓｕｍ２＿ｗｔ［ｃ］は、仮割当てしたエレベータに割り当てられている全利用者（全ての階の利用者）の予測待ち時間ｗｔ［ｐ］のうち長い方から所定個数分の予測待ち時間ｗｔ［ｐ］の合計値であってもよい。
【０１１６】
図１３は、実施形態７に係る群管理制御装置によるエレベータの割当処理を示すフローチャートである。図１３のフローチャートは、図９のフローチャートにおけるステップＳ２９を削除した点以外同一である。
【０１１７】
本実施形態においては、実施形態３のステップＳ２９におけるｆ階が割当変更不可能階であるか否かの判断が省略されているため、ステップＳ３０Ｂ〜Ｓ３３では、仮割当てしたエレベータに割り当てられている全利用者（全ての階の利用者）の予測待ち時間ｗｔ［ｐ］のうち長い方から所定個数分の予測待ち時間ｗｔ［ｐ］の合計値が、合計値ｓｕｍ２＿ｗｔ［ｃ］として設定されることとなる。
【０１１８】
そして、ステップＳ２４Ｂにおいて、この合計値ｓｕｍ２＿ｗｔ［ｃ］を前述の（式３）に代入することにより、割当に関する評価値Ｅ［ｃ］が求められることとなる。
【０１１９】
本実施形態によれば、複数のパラメータのうちの一のパラメータとして、全利用者（全ての階の利用者）の予測待ち時間ｗｔ［ｐ］のうち長い方から所定個数分の予測待ち時間ｗｔ［ｐ］の合計値ｓｕｍ２＿ｗｔ［ｃ］に比例する値を用いる場合において、ある利用者（行先階呼び）の予測待ち時間ｗｔ［ｐ］の一時的な急激な変動による評価値Ｅ［ｃ］の急激な変動を抑制しつつ、適切に割当号機の決定を行うことができる。
【０１２０】
４．まとめ
（１）実施形態５〜７のエレベータの群管理制御装置１０は、乗場またはその近傍で利用者により指定された行先階に係る新規行先階呼びを複数台のエレベータ６０Ａ〜６０Ｃのいずれかに割り当てる。
群管理制御装置１０は、新規行先階呼びを複数台のエレベータ６０Ａ〜６０Ｃのいずれかに割り当てる制御部１１を備える。
制御部１１は、
複数台のエレベータ６０Ａ〜６０Ｃについて、それぞれ、新規行先階呼びを仮割当てして、仮割当てしたエレベータの運行状態を示す複数のパラメータに基づいて割当に関する評価値Ｅ［ｃ］を求め、
求めた評価値Ｅ［ｃ］が最も小さいエレベータに新規行先階呼びを実際に割り当てるように構成されている。
制御部１１は、
仮割当てしたエレベータに割り当てられている全利用者のそれぞれについて、当該エレベータに乗車可能となるまでの予測待ち時間ｗｔ［ｐ］を求め、
複数のパラメータのうちの一のパラメータとして、求めた予測待ち時間ｗｔ［ｐ］のうちの最大の値である予測待ち時間最大値ｍａｘ＿ｗｔ［ｃ］に比例する値、または予測待ち時間ｗｔ［ｐ］のうち長い方から所定個数分の予測待ち時間ｗｔ［ｐ］の平均値ａｖｇ＿ｗｔ［ｃ］あるいは合計値ｓｕｍ２＿ｗｔ［ｃ］に比例する値が含まれる。
【０１２１】
これにより、乗車待ちしている利用者の長待ちを抑制できる。したがって、所定の割当変更不可能階で乗車待ちしている利用者の長待ちについても抑制できる。
【０１２２】
（２）実施形態１〜４のエレベータの群管理制御装置１０は、乗場またはその近傍で利用者により指定された行先階に係る新規行先階呼びを複数台のエレベータ６０Ａ〜６０Ｃのいずれかに割り当てる。
群管理制御装置１０は、新規行先階呼びを複数台のエレベータ６０Ａ〜６０Ｃのいずれかに割り当てる制御部１１を備える。
制御部１１は、
複数台のエレベータ６０Ａ〜６０Ｃについて、それぞれ、新規行先階呼びを仮割当てして、仮割当てしたエレベータの運行状態を示す複数のパラメータに基づいて割当に関する評価値Ｅ［ｃ］を求め、
求めた評価値Ｅ［ｃ］が最も小さいエレベータに新規行先階呼びを実際に割り当てるように構成されている。
制御部１１は、
仮割当てしたエレベータに割り当てられている全利用者のうち出発階が所定の割当変更不可能階である利用者のそれぞれについて、当該エレベータに乗車可能となるまでの予測待ち時間ｗｔ［ｐ］を求め、
複数のパラメータのうちの一のパラメータとして、求めた予測待ち時間ｗｔ［ｐ］のうちの最大の値である予測待ち時間最大値ｍａｘ＿ｗｔ［ｃ］に比例する値、または予測待ち時間ｗｔ［ｐ］のうち長い方から所定個数分の予測待ち時間ｗｔ［ｐ］の平均値ａｖｇ＿ｗｔ［ｃ］あるいは合計値ｓｕｍ２＿ｗｔ［ｃ］に比例する値が含まれる。
【０１２３】
これにより、所定の割当変更不可能階で乗車待ちしている利用者の長待ちを抑制できる。
【０１２４】
（３）実施形態１〜４の群管理制御装置１０において、
所定の割当変更不可能階は、割当済の行先階呼びを他のエレベータに割当変更することを利用者へ案内する装置としての行先階インジケータ１２０（行先階表示器）が乗場に設けられていない階である。
【０１２５】
これにより、行先階インジケータ１２０（行先階表示器）等の割当変更することを利用者へ案内する装置が乗場に設けられていない階で乗車待ちしている利用者の長待ちを抑制できる。
【０１２６】
（４）実施形態４の群管理制御装置１０において、
制御部１１は、利用者が所持する所定の情報通信端末ＣＴで指定された行先階に係る新規行先階呼びを複数台のエレベータ６０Ａ〜６０Ｃのいずれかに割り当て可能に構成され、
制御部１１は、当該新規行先階呼びの出発階が所定の割当変更不可能階である場合でも、出発階が割当変更可能階であるものとして、新規行先階呼びを複数台のエレベータ６０Ａ〜６０Ｃのいずれかに割り当てる。
【０１２７】
これにより、行先階登録（行先階指定）に利用された手段に応じて適切に利用者の長待ちを抑制できる。
【０１２８】
（５）実施形態１〜７のエレベータの群管理システムは、
乗場またはその近傍に配置され、利用者が行先階を指定するための行先階登録装置３０（行先階指定装置）と、
行先階登録装置３０（行先階指定装置）で指定された行先階に係る新規行先階呼びを複数台のエレベータ６０Ａ〜６０Ｃのいずれかに割り当てるエレベータの群管理制御装置１０と、を備える。
【０１２９】
これにより、エレベータの群管理システムにおいて、乗車待ちしている利用者の長待ちを抑制できる。
【０１３０】
（６）実施形態１〜７のエレベータシステムは、
複数台のエレベータ６０Ａ〜６０Ｃと、
乗場またはその近傍に配置され、利用者が行先階を指定するための行先階登録装置３０（行先階指定装置）と、
行先階登録装置３０（行先階指定装置）で指定された行先階に係る新規行先階呼びを複数台のエレベータ６０Ａ〜６０Ｃのいずれかに割り当てるエレベータの群管理制御装置１０と、を備える。
【０１３１】
これにより、エレベータシステムにおいて、乗車待ちしている利用者の長待ちを抑制できる。
【０１３２】
（７）実施形態５〜７のエレベータの群管理制御方法では、乗場またはその近傍で利用者により指定された行先階に係る新規行先階呼びを複数台のエレベータ６０Ａ〜６０Ｃのいずれかに割り当てる。
群管理制御方法では、
複数台のエレベータ６０Ａ〜６０Ｃについて、それぞれ、新規行先階呼びを仮割当てして、仮割当てしたエレベータの運行状態を示す複数のパラメータに基づいて割当に関する評価値Ｅ［ｃ］を求め、
求めた評価値Ｅ［ｃ］が最も小さいエレベータを新規行先階呼びに実際に割り当てる。
その場合において、仮割当てしたエレベータに割り当てられている全利用者のそれぞれについて、当該エレベータに乗車可能となるまでの予測待ち時間ｗｔ［ｐ］を求め、
複数のパラメータのうちの一のパラメータとして、求めた予測待ち時間ｗｔ［ｐ］のうちの最大の値である予測待ち時間最大値ｍａｘ＿ｗｔ［ｃ］に比例する値、または予測待ち時間ｗｔ［ｐ］のうち長い方から所定個数分の予測待ち時間ｗｔ［ｐ］の平均値ａｖｇ＿ｗｔ［ｃ］あるいは合計値ｓｕｍ２＿ｗｔ［ｃ］に比例する値が含まれる。
【０１３３】
これにより、乗車待ちしている利用者の長待ちを抑制できる。したがって、所定の割当変更不可能階で乗車待ちしている利用者の長待ちについても抑制できる。
【０１３４】
（８）実施形態１〜４のエレベータの群管理制御方法では、乗場またはその近傍で利用者により指定された行先階に係る新規行先階呼びを複数台のエレベータ６０Ａ〜６０Ｃのいずれかに割り当てる。
群管理制御方法では、
複数台のエレベータ６０Ａ〜６０Ｃについて、それぞれ、新規行先階呼びを仮割当てして、仮割当てしたエレベータの運行状態を示す複数のパラメータに基づいて割当に関する評価値Ｅ［ｃ］を求め、
求めた評価値Ｅ［ｃ］が最も小さいエレベータを新規行先階呼びに実際に割り当てる。
その場合において、仮割当てしたエレベータに割り当てられている全利用者のうち出発階が所定の割当変更不可能階である利用者のそれぞれについて、当該エレベータに乗車可能となるまでの予測待ち時間ｗｔ［ｐ］を求め、
複数のパラメータのうちの一のパラメータとして、求めた予測待ち時間ｗｔ［ｐ］のうちの最大の値である予測待ち時間最大値ｍａｘ＿ｗｔ［ｃ］に比例する値、または予測待ち時間ｗｔ［ｐ］のうち長い方から所定個数分の予測待ち時間ｗｔ［ｐ］の平均値ａｖｇ＿ｗｔ［ｃ］あるいは合計値ｓｕｍ２＿ｗｔ［ｃ］に比例する値が含まれる。
【０１３５】
これにより、所定の割当変更不可能階で乗車待ちしている利用者の長待ちを抑制できる。
【０１３６】
（その他の実施形態）
前記実施形態では、所定の割当変更不可能階は、エレベータ６０Ａ〜６０Ｃの行先階を表示する行先階インジケータ１２０（行先階表示器）が乗場に設けられていない階である。しかし、本発明において、所定の割当変更不可能階は、例えば、エレベータの運行制御上の理由あるいはエレベータやビルの物理的な理由等その他の理由により割当変更ができない階であってもよい。また、行先階インジケータが設置されていなくても、例えば「８、９階行きの利用者はＡ号機へ乗車ください」等のメッセージを音声案内する装置あるいは文字情報で表示する装置が設置されていれば割当変更は可能となる。従って、行先階インジケータが設置されておらず、且つこのような装置が設置されていない階を割当変更不可能階としてもよい。また、行先階インジケータが設置されていても、割当変更を案内する機能を有さなければ、その階は割当変更不可能階としてもよい。
【０１３７】
前記各実施形態では、制御部１１、３１、４１は、ＣＰＵ、ＭＰＵ等を利用して構成され、記憶部１２、３２、４２から読み出したプログラムに基づいて種々のデータ等を利用して演算処理を行うことにより、各種の機能を実現している。つまり、各制御部１１、３１、４１は、ハードウェアとソフトウェアとの協働により実現されている。しかし、各制御部１１、３１、４１は、例えば、ハードウェア（電子回路）のみ、ＦＰＧＡ、ＡＳＩＣ等を利用して構成してもよい。
【０１３８】
前記各実施形態では、行先階指定装置として、利用者の操作により行先階を指定可能な行先階登録装置３０を例示した。しかし、本発明において、行先階指定装置はこれに限定されない。例えば、行先階指定装置は、セキュリティゲートであってもよい。すなわち、ビルによっては、エレベータ乗場の近傍に、エレベータ乗場への利用者の進入を許可または遮断するためのセキュリティゲートが配置される場合があり、さらに、当該セキュリティゲートのカードリーダで読み取られたＩＤカードのカードＩＤに基づいて当該利用者の行先階を自動で指定する場合がある。本発明において、行先階指定装置は、このようなセキュリティゲートであってもよい。
【符号の説明】
【０１３９】
１０  群管理制御装置
１１  制御部
１２  記憶部
１３  入出力インタフェース
３０  行先階登録装置
３１  制御部
３２  記憶部
３３  入出力インタフェース
３４  表示部
３５  操作部
４０、４０Ａ〜４０Ｃ  エレベータ制御装置
４１  制御部
４２  記憶部
４３  入出力インタフェース
６０、６０Ａ〜６０Ｃ  エレベータ
１２０  行先階インジケータ
１３０  通信装置
ＣＴ  情報通信端末
Ｄｒ  乗車扉
ＰＬ  号機名表示
【図１Ａ】
0006638424.tif 000002
【図１Ｂ】
0006638424.tif 000003
【図２】
0006638424.tif 000004
【図３】
0006638424.tif 000005
【図４】
0006638424.tif 000006
【図５】
0006638424.tif 000007
【図６】
0006638424.tif 000008
【図７】
0006638424.tif 000009
【図８】
0006638424.tif 000010
【図９】
0006638424.tif 000011
【図１０】
0006638424.tif 000012
【図１１】
0006638424.tif 000013
【図１２】
0006638424.tif 000014
【図１３】
0006638424.tif 000015